(57)【特許請求の範囲】
【請求項１】
受信機から引き出された感知器回線にオンオフ型の火災感知器を接続し、前記火災感知器からの発報信号を受信して回線単位に警報する火災報知システムに於いて、
前記感知器回線を分岐すると共に、各分岐感知器回線の終端毎に、固有信号応答部を備えた終端器を接続し、
前記受信機に、前記感知器回線に確認信号を送出して前記終端器から固有信号を応答させ、固有信号の応答がない場合に、応答がない終端器に対応する前記分岐感知器回線の断線と判断して障害表示する断線監視制御部を設けたことを特徴とする火災報知システム。
【請求項２】
請求項１記載の火災報知システムに於いて、前記固有信号応答部は、ＥＥＰＲＯＭ等の不揮発性メモリを備え、該不揮発性メモリの所定のアドレスに特定ビット位置のみが他のビットと区別されたビットとなる固有の番号データを記憶し、前記受信機からの確認信号による前記所定アドレスを指定した前記番号データの読出し動作による特定ビットの出力タイミングで固有信号を送出することを特徴とする火災報知システム。
【請求項３】
受信機から引き出された感知器回線にオンオフ型の火災感知器を接続し、前記火災感知器からの発報信号を受信して回線単位に警報する火災報知システムに於いて、
前記感知器回線を分岐すると共に、各分岐感知器回線の終端毎に、固有信号応答部を備えた終端火災感知器を接続し、
前記受信機に、前記感知器回線に確認信号を送出して前記終端火災感知器から固有信号を応答させ、固有信号の応答がない場合に、応答がない終端火災感知器に対応する前記分岐感知器回線の断線と判断して障害表示する断線監視制御部を設けたことを特徴とする火災報知システム。
【請求項４】
受信機から引き出された感知器回線にオンオフ型の火災感知器を接続し、前記火災感知器からの発報信号を受信して回線単位に警報する火災報知システムに於いて、
前記感知器回線を分岐すると共に、前記火災感知器に固有信号応答部を備え、
前記受信機に、前記感知器回線に確認信号を送出して前記火災感知器から固有信号を応答させ、固有信号の応答がない場合に、応答がない終端火災感知器に対応する前記分岐感知器回線の断線と判断して障害表示する断線監視制御部を設けたことを特徴とする火災報知システム。
【請求項５】
請求項３又は４記載の火災報知システムに於いて、前記固有信号応答部は、ＥＥＰＲＯＭ等の不揮発性メモリを備え、該不揮発性メモリの所定のアドレスに特定ビット位置のみが他のビットと区別されたビットとなる固有の番号データを記憶し、前記受信機からの確認信号による前記所定アドレスを指定した前記番号データの読出し動作による特定ビットの出力タイミングで固有信号を送出することを特徴とする火災報知システム。
【請求項６】
請求項５記載の火災報知システムに於いて、前記固有信号応答部は、更に、火災を検出した火災信号の送出中は、前記受信機からの確認信号による前記所定アドレスを指定した前記該不揮発性メモリの前記番号データの読出し動作による感知器固有に定められた特定ビットの出力タイミングで前記火災信号の送出を一時的に遮断することを特徴とする火災報知システム。
【請求項７】
請求項６記載の火災報知システムに於いて、前記固有信号応答部は、前記不揮発性メモリからの読出応答信号と火災検出部からの火災信号を入力して発報回路を動作する排他的論理和回路を備えたことを特徴とする火災報知システム。
【請求項８】
請求項１、３、４のいずれかに記載の火災報知システムに於いて、前記断線監視制御部は、前記障害表示として、断線が検出された分岐感知器回線を識別表示することを特徴とする火災報知システム。
【請求項９】
請求項４記載の火災報知システムに於いて、前記断線監視制御部は、前記確認信号に対する前記固有信号の応答がない火災感知器の分布状態に基づいて、前記分岐感知器回線の断線有無判断と断線位置の特定、及び故障感知器の有無判断と故障感知器の特定を行うことを特徴とする火災報知システム。
【請求項１０】
請求項４記載の火災報知システムに於いて、前記固有信号応答部は、感知器回線間の電圧から他の火災感知器の発報信号を検出した場合に、火災信号の送出及び固有信号の応答を抑止する発報検出回路を設けたことを特徴とする火災報知システム。
【請求項１１】
請求項４記載の火災報知システムに於いて、前記火災感知器は、前記固有信号応答部の機能を有効もしくは無効に切り替え可能であることを特徴とする火災報知システム。
【発明の詳細な説明】
【技術分野】
【０００１】
本発明は、受信機から引き出された感知器回線に複数の火災感知器を接続し、回線単位に火災感知器からの共通の火災信号若しくは火災表示信号を受信して警報するＰ型の火災報知システムに関する。
【背景技術】
【０００２】
従来、Ｐ型として知られた火災報知システムにあっては、図１７のように、受信機１００から引き出された感知器回線１０２に複数の火災感知器１０４を接続し、回線単位に火災感知器１０４からの発報信号を受信して火災を警報するようにしている。
【０００３】
また感知器回線１０４の終端には終端抵抗１０６を接続して受信機１００で断線を監視している。受信機１００による断線監視は、感知器回線１０２に断線がなければ終端抵抗に規定の電流が流れ、規定の線間電圧が得られることから正常と判断し、一方、断線時には終端抵抗１０６に電流が流れなくなることで線間電圧が規定電圧に対し増加し、この線間電圧の増加を検出して断線と判断し、断線を示す障害警報を出す。
【０００４】
このような従来のＰ型火災報知システムは、感知器回線１０２の終端に終端抵抗１０６を接続して断線を監視するため、例えば図１７のように、１階及び２階に設置した火災感知器１０４を１階に設置した受信機１００から引き出された感知器回線１０２に接続する場合には、１階から２階に向けて火災感知器１０４に対し順番に渡り配線し、渡り配線した感知器回線１０２の終端に終端抵抗を接続している。
【特許文献１】特開平５−１０８９７５号公報
【特許文献２】特開平７−２００９５７号公報
【発明の開示】
【発明が解決しようとする課題】
【０００５】
しかしながら、断線を監視するために感知器回線の渡り配線を必要とする従来のＰ型の火災報知システムにあっては、感知器配線を分岐することができないため、感知器配線が長くなり、配線コストが高くなる問題がある。また感知器回線の配線が長くなっても規定の線路抵抗を確保しなければならず、そのため太い配線ケーブルを使用しなければならず、これによっても配線コストが高くなる問題がある。
【０００６】
更に、終端抵抗は感知器回線の終端に１個接続されているだけであり、受信機による断線監視にあっては、感知器回線の断線は確認できるが、断線個所の推定はできず、断線個所を見つけ出すまでに手間と時間がかかる問題があった。
【０００７】
本発明は、このような問題を解決するためになされたもので、断線監視機能を維持しながら感知器回線の分岐接続ができるようにして配線コストを低減し、断線時に断線個所が推定できる火災報知システムを提供することを目的とする。
【課題を解決するための手段】
【０００８】
この目的を達成するため本発明は次のように構成する。
【０００９】
本発明は、受信機から引き出された感知器回線にオンオフ型の火災感知器を接続し、火災感知器からの発報信号を受信して回線単位に警報する火災報知システムに於いて、感知器回線を分岐すると共に、各分岐感知器回線の終端毎に、固有信号応答部を備えた終端器を接続し、受信機に、感知器回線に確認信号を送出して終端器から固有信号を応答させ、固有信号の応答がない場合に、応答が無い終端器に対応する分岐感知器回線の断線と判断して障害表示する断線監視制御部を設けたことを特徴とする。
【００１０】
本発明の別の形態にあっては、受信機から引き出された感知器回線にオンオフ型の火災感知器を接続し、火災感知器からの発報信号を受信して回線単位に警報する火災報知システムに於いて、感知器回線を分岐すると共に、各分岐感知器回線の終端毎に、固有信号応答部を備えた終端火災感知器を接続し、受信機に、感知器回線に確認信号を送出して終端火災感知器から固有信号を応答させ、固有信号の応答がない場合に、応答が無い終端火災感知器に対応する分岐感知器回線の断線と判断して障害表示する断線監視制御部を設けたことを特徴とする。
【００１１】
このように本発明は、終端抵抗による断線監視を廃止して終端に受信機からの確認信号に対し固有信号を応答する終端器又は終端火災感知器を接続するようにしたことで、受信機からの感知器回線を分岐した場合に、各分岐感知器回線の終端に固有信号付きの終端器又は終端火災感知器を接続することにより分岐感知器回線ごとの断線監視ができるようになり、感知器回線を分岐配線できることで渡り配線を不要にして配線長と配線コストを大幅に低減する。
【００１２】
本発明の別の形態にあっては、受信機から引き出された感知器回線にオンオフ型の火災感知器を接続し、火災感知器からの発報信号を受信して回線単位に警報する火災報知システムに於いて、感知器回線を分岐すると共に、火災感知器に固有信号応答部を備え、受信機に、感知器回線に確認信号を送出して火災感知器から固有信号を応答させ、固有信号の応答がない場合に、応答が無い終端火災感知器に対応する分岐感知器回線の断線と判断して障害表示する断線監視制御部を設けたことを特徴とする。
【００１３】
このように感知器回線に接続する火災感知器を全て固有信号応答部を備えた火災感知器とした場合にも、火災感知器からの固有信号の応答に基づき、分岐感知器回線ごとに断線を監視でき、このため感知器回線の分岐配線ができるようになり、渡り配線が必要なくなることで配線長と配線コストを大幅に低減する。
【００１４】
本発明の終端器又は終端火災感知器又は全ての火災感知器に設ける固有信号応答部は、ＥＥＰＲＯＭ等の不揮発性メモリを備え、不揮発性メモリの所定のアドレスに特定ビット位置のみが他のビットと区別されたビットとなる固有の番号データを記憶し、受信機からの確認信号による所定アドレスを指定した番号データの読出し動作による特定ビットの出力タイミングで固有信号を送出する。
【００１５】
このためＣＰＵを必要とせず、ＥＥＰＲＯＭ等の不揮発性メモリとそのインタフェース回路を設けるという簡単な構成とメモリアクセスを伝送プロトコルとした簡単な通信制御で、火災感知器側から固有信号を応答させることができ、データ伝送回路とデータ伝送プロトコルを使用した所謂Ｒ型火災報知システムに比べ、大幅なコストダウンが実現でき、その普及を促進する。
【００１６】
全ての火災感知器に固有信号応答部を設ける場合、更に、火災を検出した火災信号の送出中は、受信機からの確認信号による所定アドレスを指定した該不揮発性メモリの番号データの読出し動作による感知器固有に定められた特定ビットの出力タイミングで火災信号の送出を一時的に遮断する。具体的には、固有信号応答部は、不揮発性メモリからの読出応答信号と火災検出部からの火災信号を入力して発報回路を動作する排他的論理和回路（ＥＸ−ＯＲ回路）を備える。
【００１７】
受信機に設ける断線監視制御部は、障害表示として、断線が検出された分岐感知器回線を識別表示する。
【００１８】
また、全ての火災感知器に固有信号応答部を設ける場合、断線監視制御部は、確認信号に対する固有信号の応答がない火災感知器の分布状態に基づいて、分岐感知器回線の断線有無判断と断線位置の特定、及び故障感知器の有無判断と故障感知器の特定を行い、固有信号応答部は、感知器回線間の電圧から他の火災感知器の発報信号を検出した場合に、火災信号の送出及び固有信号の応答を抑止する発報検出回路を設け、火災感知器は、固有信号応答部の機能を有効もしくは無効に切り替えることができる。
【発明の効果】
【００１９】
本発明の火災報知システムによれば次の効果が得られる。
【００２０】
まず感知器回線の分岐配線ができることで渡り配線が不要となり、配線長が短くなり、配線コストを低減できる。
【００２１】
また火災報知システムの監視区域が増設された場合、増設区域に対し感知器回線を分岐接続して火災感知器を追加することができ、既存の火災報知システムに対する火災感知器の追加増設が容易にできる。
【００２２】
更に、感知器回線に分岐接続した分岐感知器回線の終端毎に固有信号応答部を備えた終端器や火災感知器が接続され、分岐感知器回線単位に断線を監視することができ、断線個所を分岐感知器回線の分岐ブロック単位で認識することができる。
【発明を実施するための最良の形態】
【００２３】
図１は感知器回線を分岐し、分岐感知器回線の各終端に終端器を接続した本発明の火災報知システムの説明図である。
【００２４】
図１において、受信機１からは感知器回線４が引き出されている。この実施形態にあっては建物の１階と２階に感知器回線４を配線する場合を例にとっており、１階は区画Ａ，Ｂに分けられ、また２階は区画Ｃ，Ｄに分けられている。
【００２５】
感知器回線４は警戒区域毎に受信機１からそれぞれ引き出されており、受信機１は感知器回線４毎に火災検出及び警報を行う。この警戒区域は消防法に定められた面積以内の区域毎に設定されており、階毎に警戒区域が区分けされる場合もあれば、一つの階の面積が小さいと図１に示すように２つの階の区画を１つの警戒区域に設定することができる。
【００２６】
このような１階と２階の区画Ａ〜Ｄに対し受信機１から引き出された感知器回線４は、まず１階で区画Ａと区画Ｂに対する分岐感知器回線４ａ，４ｂに分岐され、分岐感知器回線４ａ，４ｂにオンオフ型の火災感知器２を接続している。また感知器回線４は２階において区画Ｃ，Ｄに対し分岐されて分岐感知器回線４ｃ，４ｄとして配線され、各分岐感知器回線４ｃ，４ｄにオンオフ型火災感知器２を接続している。
【００２７】
区画Ａ〜Ｄに対し、感知器回線４より分岐された分岐感知器回線４ａ〜４ｄのそれぞれの終端には、本発明による固有信号応答部付の終端器３ａ〜３ｄを接続している。
【００２８】
分岐感知器回線４ａ〜４ｄに接続されるオンオフ型火災感知器２としては、光電式煙感知器、半導体式熱感知器、差動式熱感知器、低温式熱感知器など各種の火災感知器を接続することができる。これらのオンオフ型の火災感知器には火災検出した時にそれぞれの分岐感知器回線４ａ〜４ｄを短絡させ、感知器回線４を介して受信機１に火災信号を送出する。
【００２９】
分岐感知器回線４ａ〜４ｃの終端に接続した終端器３ａ〜３ｄは、監視時に受信機１から定期的に送信される確認信号に対し固有信号を応答する固有信号応答部を備えており、この分岐感知器回線４ａ〜４ｄごとに異なる固有信号によって受信機１における断線監視を行なわせている。
【００３０】
終端器３ａ〜３ｄの固有信号応答部はＥＥＰＲＯＭなどの不揮発性メモリを備え、不揮発性メモリの所定のアドレスに特定位置の１ビットのみがビット１となる固有の番号データを記憶しており、受信機１からの確認信号に基づく番号データの読出しによるビット１の出力タイミングで固有信号を送出する。
【００３１】
受信機１にはＭＰＵ６が設けられ、ＭＰＵ６に対しては、操作部８、警報表示部９、地区表示部１０、移報出力部１１、メモリ１２が設けられている。またＭＰＵ６の感知器回線側には監視回路部７が設けられている。監視回路部７からは感知器回線４が引き出され、分岐感知器回線４ａ〜４ｄによって火災感知器２および固有信号応答部付の終端器３ａ〜３ｄが接続されている。
【００３２】
監視回路部７は電圧制御回路１５、出力バッファ回路１６及び電流検出回路１７を備え、この監視回路部７に対応してＭＰＵ６には受信制御部１３の機能に加え、断線監視制御部１４の機能が設けられている。
【００３３】
ＭＰＵ６の受信制御部１３は感知器回線４からの発報信号を検出して警報表示すなわち火災代表灯表示と地区表示（発報回線表示）を行なう。ＭＰＵ６の断線監視制御部１４は感知器回線４に確認信号を送信し、終端器３ａ〜３ｄから固有信号を応答させ、応答がある場合には回線正常と判断し、固有信号の応答がない場合には対応する分岐感知器回線の断線と判断して、障害表示する。
【００３４】
断線監視制御部１４から終端器３ａ〜３ｄに対する確認信号は終端器３ａ〜３ｄの固有信号応答部に設けているＥＥＰＲＯＭの所定アドレスに対する読出し動作信号である。このＥＥＰＲＯＭの読み出しアドレスには特定位置の１ビットのみをビット１、他をビット０とした分岐感知器回線４ａ〜４ｄに対応した固有の番号データが予め書き込まれている。
【００３５】
このため終端器３ａ〜３ｄは受信機１からの確認信号によるＥＥＰＲＯＭの所定アドレスを指定した固有の番号データの読出しによるビット１の出力タイミング（ビット１の出力期間）で火災発報時と同じ動作を行い、固有信号を各分岐感知器回線４ａ〜４ｄから感知器回線４を経由して受信機１からの確認信号に応答する。なお、ＥＥＰＲＯＭの読出アドレスの固有番号データは、特定位置のみを０とし、他の全てを１としても良い。断線状態を速やかに検出するため、この確認信号の送出タイミングは１分以内の間隔で定期的に行うことが望ましい。
【００３６】
監視回路部７に設けている電圧制御回路１５は終端器３ａ〜３ｄに設けているＥＥＰＲＯＭの読み出し動作に必要なクロック及びデータを電圧パルス信号に変換し、出力バッファ回路１６を介して感知器回線４に送出する。本発明の実施形態にあってはデータビット０，１の電圧パルス信号への変換はパルス幅変調により行なう。
【００３７】
このため終端器３ａ〜３ｄ側は受信した電圧パルス信号のパルス幅からデータビット０，１を検出する。また出力バッファ回路１６は感知器回線４の電圧を例えば監視時の１８ボルトから２４ボルトに変化させて電圧パルス信号を送出する。
【００３８】
図２は図１の終端器３ａの実施形態を示した回路ブロック図であり、残りの終端器３ｂ〜３ｄも同じ回路構成を持つ。終端器３ａは感知器回線の接続端子Ｌ，Ｃに続いて整流・ノイズ吸収回路２１、発報回路２２、電源回路２４及び固有信号応答部２７を設けている。固有信号応答部２７はクロック検出回路２８、データ検出回路２９、チップセレクト検出回路３０、不揮発性メモリとしてのＥＥＰＲＯＭ３１ａで構成される。
【００３９】
発報回路２２はトランジスタ２３と抵抗Ｒの直列回路でなり、ＥＥＰＲＯＭ３１ａの出力でトランジスタ３２はオンし、接続端子Ｌ，Ｃ間を抵抗Ｒで決まる電流が流れる。
【００４０】
クロック検出回路２８は図１の受信機１のＭＰＵ６に設けた断線監視制御部１４からの確認信号に基づく感知器回線間の１８〜２４ボルトの電圧変化となる電圧パルス信号を入力し、電圧パルス信号に同期したクロックパルスを検出してＥＥＰＲＯＭ３１ａに出力する。
【００４１】
データ検出回路２９は受信機１からの確認信号に基づく電圧パルス信号を入力し、電圧パルス信号のパルス幅の判定により、データビット０，１を検出してＥＥＰＲＯＭ３１ａの読出し動作のためのオペコード、アドレス、データ出力タイミングを示すデータビットなどを出力する。
【００４２】
チップセレクト検出回路３０は感知器回線間の電圧パルス信号を入力し、電圧パルス信号が得られている間、チップセレクト検出信号を出力してＥＥＰＲＯＭ３１ａの読出し動作のためのチップセレクトを行なう。
【００４３】
図３は感知器回線間の電圧パルス信号に対する図２の終端器３ａに設けているデータ検出回路２９及びチップセレクト検出回路３０の動作のタイムチャートである。図３（Ａ）は受信機１から感知器回線４に送出される確認信号に対応した電圧パルス信号であり、監視時の１８ボルトを２４ボルトに変化させることで、電圧パルスを送出する。
【００４４】
この電圧パルス信号は、データビット０，１に応じて後半のＬレベルとなる時間を変化させるパルス幅変調を行っている。例えば受信機１からデータビット「１００１」を送出する場合、ビット１については周期Ｔのパルス信号のうちの後半のＬレベル区間の時間をＴ1時間とし、一方、データビット０については後半のＬレベル区間の時間をそれより短いＴ0時間としている。
【００４５】
このため図２のデータ検出回路２９にあっては、入力した電圧パルス信号のパルスごとにＬレベル時間を監視し、Ｔ1時間であればデータビット１を次のパルス周期で図３（Ｃ）のように出力し、Ｔ0時間であれば次のパルス周期でデータビット０を出力する。
【００４６】
一方、図２のチップセレクト検出回路３０にあっては図３（Ａ）で最初に感知器回線４の電圧が監視時の１８ボルトから電圧パルス信号の送出により２４ボルトに増加したことを検出して、図３（Ｂ）のようにチップセレクト検出回路をＨレベルに立ち上げてオンする。このため受信機１から送出する確認信号の最初のビットは必ずビット１としている。
【００４７】
その後は感知器回線４の電圧が監視時の１８ボルトとなっている時間がデータビット１の判定に使用しているＴ1時間より長いＴ2時間以上継続したときに図３（Ｂ）のようにチップセレクト検出信号をＨレベルからＬレベルに立ち下げてオフする。これによって受信機より電圧パルス信号が得られている間、チップセレクト検出信号がハイレベルとなることでオンし、ＥＥＰＲＯＭ３１ａのチップセレクト動作を行なうことになる。
【００４８】
尚、図３（Ａ）の感知器回線間の電圧パルス信号におけるＴ0，Ｔ1，Ｔ2時間の判定は抵抗とコンデンサを用いた時定数回路の時定数をＴ0，Ｔ1，Ｔ2時間に対応させ、コンデンサの充電電圧をコンパレータなどで判定するか、あるいは時間計測用のクロックパルスを電圧パルス信号のＬレベル区間（１８ボルト区間）にわたりカウンタで計数し、カウンタの計数値からＴ0時間であればデータビット０、Ｔ1時間であればデータビット１を更にＴ2時間であればチップセレクト検出信号のオフを行なうようにすれば良い。
【００４９】
次に図２の固有信号応答部２７に設けているＥＥＰＲＯＭ３１ａについて説明する。ＥＥＰＲＯＭ３１ａはそのアドレスごとに３２ビットデータＤ０〜Ｄ３１を記憶することができる。本発明で使用するＥＥＰＲＯＭ３１ａにあっては特定のアドレス、例えば「アドレス３８」に受信機１からの確認信号に対し固有信号を応答するための番号データを格納している。この「アドレス３８」の番号データとしては３２ビットのデータビットＤ０〜Ｄ３１のうちの特定の位置のビットにビット１を格納し、残りのビットは全てビット０としている。
【００５０】
図４は図１の分岐感知器回線４ａ〜４ｄの終端に接続している終端器３ａ〜３ｄに設けたＥＥＰＲＯＭ３１ａ〜３１ｄを示しており、それぞれのアドレス３８に格納した番号データのビット１の位置を斜線部で示している。即ち分岐感知器回線４ａ〜４ｄに対応したＥＥＰＲＯＭ３１ａ〜３１ｄのアドレス３８に格納した番号データはＥＥＰＲＯＭ３１ａはデータビットＤ３１、ＥＥＰＲＯＭ３１ｂはデータビットＤ３０、ＥＥＰＲＯＭ３１ｃはデータビットＤ２９、更にＥＥＰＲＯＭ３１ｄはデータビットＤ２８というように分岐感知器回線４ａ〜４ｄごとに順次１ビットずつずらした値としている。
【００５１】
ＥＥＰＲＯＭ３１ａ〜３１ｄの読出し動作にあっては、受信機１からの確認信号によって同じアドレス３８を指定した読出し動作が行なわれ、クロックに同期してデータビットＤ３１〜Ｄ０の順番にビット出力が行なわれる（シリアルビット出力）。
【００５２】
このため図４のように分岐感知器回線４ａ〜４ｄに対応してＥＥＰＲＯＭ３１ａ〜３１ｄのアドレス３８に格納ビットを順次ずらした番号データを格納しておくことで、受信機１からのアドレス３８の読出し動作を指定した確認信号に基づき、全ての分岐感知器回線４ａ〜４ｄの終端器３ａ〜３ｄのＥＥＰＲＯＭ３１ａ〜３１ｄを同時に読出し動作し、それぞれのビット位置としたビットデータＤ３１，Ｄ３０，Ｄ２９，Ｄ２８のビット出力タイミングで順次固有信号を受信機１に対し送出させる応答を行なわせることができる。
【００５３】
受信機１は、感知器回線４毎に、終端器３の個数や、終端器毎に設定された特定ビットを記憶している。受信機１から送出した確認信号に対する応答として、全ての終端器３から記憶している特定ビットタイミングでの応答があれば、感知器回線４が正常であると判断する。
【００５４】
記憶している全ての特定ビットタイミングの中で、一つ以上の終端器から応答がなければ、感知器回線４の断線と判断する。感知器回線４に接続されている終端器の数のみ記憶している場合は、その接続個数分の特定ビットの返信信号があれば正常と判断するようにしても良い。
【００５５】
図５は図２の終端器３ａに対する図１の受信機１からの確認信号に対する固有信号の応答動作を示したタイミングチャートである。
【００５６】
図５（Ａ）は図１の受信機１のＭＰＵ６に設けている断線監視制御部１４からの確認信号に基づき、監視回路部７より感知器回線４を経由して分岐感知器回線４ａに出力された電圧パルス信号であり、例えば監視時の電圧１８ボルトを２４ボルトに変化させることで、電圧パルス信号を出力しており、更に電圧パルス信号は図３（Ａ）に示したようにデータビット１については１８ボルトとなるＬレベル時間をＴ1時間、データビット０については１８ボルトとなるＬレベル時間をそれより短いＴ0時間としたパルス幅変調して電圧パルス信号を送出している。
【００５７】
このような分岐感知器回線４ａに対する電圧パルス信号は図２の終端器３ａのクロック検出回路２８に入力され、図５（Ｂ）のような電圧パルス信号に同期したクロック信号を検出し、ＥＥＰＲＯＭ３１ａに対し供給する。
【００５８】
ここで図５（Ｂ）のクロック信号はパルス幅変調された電圧パルス信号と同じパルス幅を持っているが、クロック信号としてはその立ち上りタイミングを有効として動作することから、パルス幅の相違は特に問題にはならない。
【００５９】
また電圧パルス信号の前半は図５（Ｄ）に示すようにダミークロック、スタートビット、読出しオペコードであることから、これをあらわすデータビット０，１に対応したパルス幅変調が行なわれているが、後半のＥＥＰＲＯＭ３１ａの３２ビットデータのシリアル読出出力タイミングを認識するデータビットについては、単なるクロックタイミングのみを与えることから、その部分についてはデューティ５０％の通常クロックをもつ電圧パルス信号としており、これに同期して図５（Ｂ）のクロックもデューティ５０％のクロックパルスを検出している。
【００６０】
また図５（Ｃ）のようにチップセレクト検出回路３０は図５（Ａ）における電圧パルス信号の最初の１８ボルトから２４ボルトへの電圧増加を検出してチップセレクト検出信号をＨレベルに立ち上げてオンし、このチップセレクト検出信号は電圧パルス信号が断たれて監視時の１８ボルトに戻っている時間が図３のＴ2時間に達するとＬレベルに立ち下がってオフする。
【００６１】
図５（Ｄ）はデータ検出回路２９で検出されたデータであり、先頭からダミークロック「００」、スタートビット「１」、読出オペコート「１０」、アドレスビット「１００１１０」（アドレス３８）、更に３２ビットのデータビットＤ３１〜Ｄ０に対応した読出タイミングを出力する。
【００６２】
終端器３は受信機１から送られてくる図５（Ｄ）のデータ中のダミークロック、スタートビット、読出オペコード、アドレス３８と指定したアドレスビットを順に受信することにより、ＥＥＰＲＯＭ３１のアドレス３８に格納されたデータビットＤ３１〜Ｄ０の読出し動作を行う。
【００６３】
この３２ビットのデータビットＤ３１〜Ｄ０の内、分岐感知器回線４ａの終端に接続した終端装置３ａにあっては、図４のＥＥＰＲＯＭ３１ａのように斜線で示すデータビットＤ３１をビット１とし残りのデータビットＤ３０〜Ｄ０はビット０が格納されており、ビット１を格納しているデータビットＤ３１の読出ビット出力がＥＥＰＲＯＭ３１ａから出力される応答信号Ｅ１となる。
【００６４】
このため監視時にあっては図５（Ｅ）のようにビット１を格納している先頭のデータビットＤ３１の読出ビット出力が応答信号Ｅ１をＨレベルとして発報回路２２のトランジスタ２３をスイッチングし、これによって抵抗Ｒで定まる応答電流Ｉｃを図５（Ｅ）のようにデータビットＤ３１の１ビット出力のタイミングで感知器回線に流し、これによって受信機１からの確認信号に対し、終端器３ａが固有信号を応答することになる。
【００６５】
このような受信機１からの確認信号に対する終端器３ａの応答動作は他の分岐感知器回線４ｂ〜４ｃに接続された終端器３ｂ〜３ｄのＥＥＰＲＯＭ３１ｂ〜３１ｄについても同時に並列的に行なわれている。このため図５（Ｅ）のデータビットＤ３０のビット出力のタイミングで終端器３ｂが応答電流Ｉｃを流して応答して、次のデータビットＤ２９のタイミングで終端器３ｃが応答電流Ｉｃを流して応答して、更にデータビットＤ２８のタイミングで終端器３ｄが応答電流Ｉｃを流して応答する。
【００６６】
これによって図５（Ｅ）の監視時の応答電流のように受信機１の断線監視制御部１４は確認信号を送出した後、分岐感知器回線４ａ〜４ｄの終端器３ａ〜３ｄに設けているＥＥＰＲＯＭ３１ａ〜３１ｄのアドレス３８を指定した読出動作でデータビットＤ３１，Ｄ３０，Ｄ２９，Ｄ２８の各ビットの出力タイミングで発報電流を固有信号の応答電流として受信でき、受信機１が予め記憶している感知器回線毎の終端器の個数と上り信号のデータビット数が一致するか、もしくは予め記憶した終端器ごとのデータビット位置と一致していれば、分岐感知器回線４ａ〜４ｄ、つまり感知器回線４は正常であると判断できる。
【００６７】
一方、分岐感知器回線４ａ〜４ｄのいずれかで断線が生じた場合には、受信機１からの確認信号に対し断線を起している分岐感知器回線の終端に接続している終端器からの固有信号の応答がなくなり、受信機１が予め記憶している終端器あの応答ビット位置に応答がないことから、これによって受信機１の断線監視制御部１４は断線検出による障害警報を出すと同時に断線を生じた分岐感知器回線を識別表示することができる。このため断線障害が警報された場合、断線を起した分岐感知器回線を知ることができるため、断線箇所の調査、発見を効率よく行なうことができる。
【００６８】
すべての終端器３から応答信号を受信したかどうかの受信機１の判断は、応答ビットの数と、予め受信機１で記憶した終端器３の数を比較することで判断しても良い。
【００６９】
図６は受信機１から確認信号として送出する電圧パルス信号の信号形式を異ならせた場合の図２の終端器３ａに設けているデータ検出回路２９及びチップセレクト検出回路３０の動作のタイムチャートである。即ち図３においては、受信機から送出する確認信号は一定の周期毎にＬレベル時間を変えたデータビット１もしくはビット０を送出しているが、これに限らず、例えば図６に示すように、一定周期でなく、Ｌレベル時間が共通で、その後につづくＨレベルの時間を変えたパルス幅変調によりデータビット１、０を感知器回線に出力するようにしても良い。
【００７０】
図７は本発明の火災報知システムの他の実施形態であり、この実施形態にあっては感知器回線を分岐すると共に、分岐感知器回線の各終端に固有信号応答部付きの火災感知器を接続したことを特徴とする。
【００７１】
図７において、この実施形態は図１と同様、１階及び２階に対し受信機１から引き出された感知器回線４を、区画Ａ〜Ｄごとに分岐した分岐感知器回線４ａ〜４ｄとして配線している。区画Ａ〜Ｄに配線された分岐感知器回線４ａ〜４ｄにはオンオフ型火災感知器２が接続されると共に、それぞれの終端に固有信号応答部付きの終端火災感知器５ａ〜５ｄを接続している。
【００７２】
終端火災感知器５ａ〜５ｄは、火災検出部に加え、監視時における受信機１から定期的に送信される確認信号に対し固有信号を応答する固有信号応答部を備えており、確認信号に対する固有信号の応答によって受信機１における断線監視を行わせている。
【００７３】
終端火災感知器５ａ〜５ｄの固有信号応答部は、ＥＥＰＲＯＭなどの不揮発性メモリを備えている。不揮発性メモリの所定のアドレスには特定位置の１ビットのみがビット１となる固有の番号データを記憶しており、受信機１からの確認信号に基づく番号データの読出しによるビット１の出力タイミングで固有信号を応答する。
【００７４】
また終端火災感知器５の火災検出部としては、光電式煙検出部、半導体式熱検出部、差動式熱検出部、定温式熱検出部など各種の火災検出部を用いることができる。受信機１にはＭＰＵ６が設けられ、これに対し操作部８、警報表示部９、地区表示部１０、移報出力部１１及びメモリ１２が設けられている。またＭＰＵ６の感知器回線側には監視回路部７が設けられる。更にＭＰＵ６には受信制御部１３の機能に加え、断線監視制御部１４の機能が設けられている。このような受信機１の構成及び制御内容は、図１の実施形態と基本的に同じになる。
【００７５】
図８は図７の終端火災感知器５ａの実施形態を示した回路ブロック図である。終端火災感知器５ａは、感知器回線の接続端子Ｌ，Ｃに続いて、整流・ノイズ吸収回路２１、発報回路２２、電源回路２４、信号処理回路２５及び検出回路２６を設けている。
【００７６】
検出回路２６は火災による煙や熱に応じた検出信号を信号処理回路２５に出力する。信号処理回路２５は、例えば検出回路２６からの検出信号が予め定めた火災判定の閾値を超えたときに発報回路２２に火災信号Ｅ２を出力し、後の説明で明らかにするＥＸ−ＯＲ回路３２の出力によるトランジスタ２３のスイッチングにより、感知器回線間に抵抗Ｒで定まる応答電流Ｉｃを流し、これによって発報信号を受信機１側に送出する。
【００７７】
また信号処理回路２５は、検出回路２６が発光素子の間欠発光で煙による散乱光を検出する散乱光式煙検出回路の場合には、例えば検出信号の２カウントで発報回路２２を動作して発報信号を送出させる。また半導体素子などによる熱検出にあっては、コンパレータにより火災判断の閾値を超えたときに発報回路２２を動作して発報信号を出力させる。
【００７８】
このような終端火災感知器の基本的な回路に加え本発明にあっては、受信機１側の断線監視制御機能に対応して固有信号応答部２７を設けている。固有信号応答部２７は、クロック検出回路２８、データ検出回路２９、チップセレクト検出回路３０、不揮発性メモリとしてのＥＥＰＲＯＭ３１ａ、及びＥＸ−ＯＲ回路（排他的論理和回路）３２で構成される。
【００７９】
クロック検出回路２８、データ検出回路２９及びチップセレクト検出回路３０は、図２の終端器３ａに設けたものと同じである。即ちクロック検出回路２８にあっては、図３（Ａ）のような受信機１からの確認信号に基づく電圧パルス信号を入力し、図３（Ｃ）のように電圧パルス信号の後半のＬレベル時間を判定し、Ｔ1時間であればデータビット１を検出し、それより短いＴ0時間であればデータビット０を検出し、図３（Ｃ）のようなデータを検出してＥＥＰＲＯＭ３１ａに出力する。
【００８０】
またチップセレクト検出回路３０は、図３（Ａ）の監視時の電圧１８ボルトから電圧パルス信号が２４ボルトに立ち上がる最初の電圧増加を検出して、図３（Ｂ）のようにチップセレクト検出信号をＬレベルからＨレベルに立ち上げてオンし、ＥＥＰＲＯＭ３１ａのチップセレクト動作を行わせる。その後、図３（Ａ）の電圧パルス信号が停止して、そのＬレベル区間がビット１に対応したＴ1時間より長いＴ2時間継続したことを判別すると、電圧パルス信号の終了と判断し、図３（Ｂ）のようにチップセレクト検出信号をそれまでのＨレベルからＬレベルに立ち下げてオフする。
【００８１】
更にクロック検出回路２８にあっては、図３（Ａ）の電圧パルス信号をそのままクロック信号として取り出し、クロック信号のＨレベルの立ち上がりを有効としてＥＥＰＲＯＭ３１ａのクロック動作を行わせる。
【００８２】
次に図８の固有信号応答部２７に設けているＥＥＰＲＯＭ３１ａを説明する。ＥＥＰＲＯＭ３１ａは、そのアドレスごとに３２ビットデータＤ０〜Ｄ３１を記憶することができる。このＥＥＰＲＯＭ３１にあっては、特定のアドレス、例えば「アドレス３８」に受信機１からの確認信号に対し固有信号を応答するための番号データを格納している。このアドレス３８の番号データとしては、３２ビットのデータビットＤ０〜Ｄ３１のうちの特定のビット位置にビット１を格納し、残りのビットは全てビット０としている。
【００８３】
このようなＥＥＰＲＯＭ３１ａは、他の分岐感知器回線４ｂ〜４ｄの終端火災感知器５ｂ〜５ｄにも、ＥＥＰＲＯＭ３１ｂ〜３１ｄとして設けられている。分岐感知器回線４ａ〜４ｄの終端に接続している終端火災感知器５ａ〜５ｄに設けているＥＥＰＲＯＭ３１ａ〜３１ｄのアドレス３８の番号データは、図４に示した図１の終端器３ａ〜３ｄの場合と同じになる。
【００８４】
即ち、終端火災感知器５ａのＥＥＰＲＯＭ３１ａには図４の場合と同様、データビットＤ３１をビット１とし、他を全てビット０とした番号データが格納され、終端火災感知器５ｂのＥＥＰＲＯＭ３１ｂには次のデータビットＤ３０のみをビット１とし、他を全てビット０とした番号データが格納され、終端火災感知器５ｃのＥＥＰＲＯＭ３１ｃには次のデータビットＤ２９のみをビット１とし、他を全てビット０とした番号データが格納され、更に終端火災感知器５ｄのＥＥＰＲＯＭ３１ｄにはデータビットＤ２８のみをビット１とし、他を全てビット０とした番号データが格納されている。
【００８５】
図９は図８のＥＸ−ＯＲ回路３２による応答信号Ｅ１と火災信号Ｅ２の入力に対する出力と、ＥＸ−ＯＲ回路３２の出力に基づく発報回路２２による上り信号を一覧で示している。
【００８６】
図９において、まず監視時の受信機１より確認信号が出力されていない状態では、応答信号Ｅ１及び火災信号Ｅ２が共にＬレベルであり、ＥＸ−ＯＲ回路３２の出力もＬレベルとなっており、上り信号としての電流は０となっている。
【００８７】
監視時に受信機１からの確認信号を受けて、ＥＥＰＲＯＭ３１ａがアドレス３８の番号データの読出しによりデータビットＤ３１のビット出力のタイミングで応答信号Ｅ１がＨレベルになると、このとき火災信号Ｅ２はＬレベルであることからＥＸ−ＯＲ回路３２の出力はＨレベルとなる。
【００８８】
このため発報回路２２のトランジスタ２３がスイッチングし、分岐感知器回線４ａ及び感知器回線４を経由して受信機との間に応答電流Ｉｃを流し、これが終端火災感知器５ａからの固有信号として受信機１に送られる。
【００８９】
一方、終端火災感知器５ａで火災を検出した際には、火災信号Ｅ２がＨレベルとなり、応答信号Ｅ１がＬレベルの場合にはＥＸ−ＯＲ回路３２の出力がＨレベルとなり、発報回路２２のトランジスタ２３をスイッチングし、抵抗Ｒで決まる応答電流Ｉｃを上り信号として分岐感知器回線４ａ及び感知器回線４を介して受信機１との間で流し、受信機１に対し発報信号を送出する。
【００９０】
この火災発報中に受信機１からの確認信号が送出されると、ＥＥＰＲＯＭ３１ａから出力される応答信号Ｅ１が番号データの読出しによるビット１の出力タイミングでＨレベルとなり、このためＥＸ−ＯＲ回路３２の出力は応答信号Ｅ１が出力される１ビット出力期間の間、Ｌレベルとなり、発報回路２２のトランジスタ２３をオフに復旧して一時的に発報電流を０とする上り信号なしの状態とする。
【００９１】
このため受信機１側にあっては、火災による発報信号の受信中にあっても、その間に一時的に発報信号が断たれることで、終端火災感知器５ａからの確認信号に対する固有信号の応答を認識することができる。
【００９２】
このような図８の終端火災感知器５ａの構成及び動作は、図７の他の分岐感知器回線４ｂ〜４ｄに設けている終端火災感知器５ｂ〜５ｄについても、ＥＥＰＲＯＭ３１ｂ〜３１ｄのアドレス３８に記憶している番号データが相違するのみで他は同じとなる。
【００９３】
図１０は図７の分岐感知器回線４ａの終端に接続した終端火災感知器５ａに対する受信機１からの確認信号に対する固有信号の応答動作を示したタイミングチャートである。
【００９４】
図１０（Ａ）は、図７の受信機１のＭＰＵ６に設けている断線監視制御部１４からの確認信号に基づき、監視回路部などにより感知器回線４側に出力した電圧パルス信号であり、当然のことながら、この電圧パルス信号は分岐感知器回線４ａ〜４ｄに同時に送出される。
【００９５】
電圧パルス信号は監視時の電圧１８ボルトを２４ボルトに変化させることでパルス信号としており、その周期Ｔにつき図３（Ａ）に示したように、データビット１については１８ボルトとなるＬレベル時間をＴ1時間、データビット０については１８ボルトとなるＬレベル時間をそれより短いＴ0時間としたパルス幅変調を行っている。
【００９６】
このような感知器回線からの電圧パルス信号は図８の終端火災感知器５ａのクロック検出回路２８に入力され、図１０（Ｂ）のような電圧パルス信号に同期したクロック信号として検出され、ＥＥＰＲＯＭ３１ａに対しクロックとして供給される。
【００９７】
同時に感知器回線からの電圧パルス信号は図８のチップセレクト検出回路３０に入力され、図１０（Ｃ）のようにチップセレクト検出回路は電圧パルス信号の最初の１８ボルトから２４ボルトへの電圧増加を検出してチップセレクト検出信号をＨレベルにオンし、その後、電圧パルス信号が断たれて監視時の１８ボルトに戻っている時間がＴ2時間に達するとＬレベルに立ち下がってオフする。
【００９８】
図１０（Ｄ）はデータ検出回路２９で検出されたデータであり、先頭からダミークロック「００」、スタートビット「１」、読出オペコード「１０」、アドレスビット「１００１１０」（アドレス３８）、更に３２ビットのデータビットＤ３１〜Ｄ０に対応した読出タイミングを出力する。
【００９９】
ここで終端火災感知器５ａにあっては、図４のＥＥＰＲＯＭ３１ａと同様、斜線部のデータビットＤ３１をビット１とし、残りデータビットＤ３０〜Ｄ０はビット０を格納しており、この番号データの読出しでデータビットＤ３１の読出ビット出力がＥＥＰＲＯＭ３１ａから出力される応答信号Ｅ１となる。
【０１００】
このため監視時にあっては、図１０（Ｄ）のように、ビット１を格納しているデータビットＤ３１の読出ビット出力が応答信号Ｅ１をＨレベルとしてＥＸ−ＯＲ回路３２に入力し、その出力をＨレベルとし、発報回路２２のトランジスタ２３をスイッチングし、これによって抵抗Ｒで定まる応答電流Ｉｃを図１０（Ｅ）のように感知器回線間に流し、これによって受信機１からの確認信号に対し終端火災感知器５ａが固有信号を応答することになる。
【０１０１】
受信機１からの確認信号による図１０（Ａ）の電圧パルス信号は、他の分岐感知器回線４ｂ〜４ｄの終端に接続した終端火災感知器５ｂ〜５ｄにも同時に供給されており、それぞれのＥＥＰＲＯＭ３１ｂ〜３１ｄのアドレス３８を指定した読出動作が同時に行われる。このため受信機１に対する感知器回線４に対しては、各分岐感知器回線４ｂ〜４ｄを経由して終端火災感知器５ｂ〜５ｄの順番に、データビットＤ３０，Ｄ２９，Ｄ２８の読出ビット出力のタイミングで感知器回線に応答電流Ｉｃが図１０（Ｅ）に示すように流れる。
【０１０２】
このため受信機１の断線監視制御部１４にあっては、感知器回線４に対する確認信号に対し分岐感知器回線４ａ〜４ｄの終端に接続している終端火災感知器５ａ〜５ｄからの応答電流により固有信号の応答を認識することができる。そして万一、特定の終端火災感知器からの応答信号が断線などにより断たれて応答なしとなった場合には、感知器回線の断線を示す障害警報を出すと同時に、どの分岐感知器回線に接続している終端火災感知器からの応答信号が断たれたかが判断できるため、断線を生じた区画の表示を同時に行うことができる。
【０１０３】
一方、オンオフ型火災感知器２あるいは終端火災感知器５ａ〜５ｄのいずれかで火災検出が行われた際の火災発報中における監視信号に対する応答動作は、終端火災感知器５a自身で火災を検出した場合と他の火災感知器で火災を検出した場合とに分けられる。
【０１０４】
図１０（Ｆ）は終端火災感知器５ａ自身で火災を検出した場合の応答電流である。図８の終端火災感知器５ａで火災検出が行われて信号処理回路２５からの火災信号Ｅ２がＨレベルになると、このときＥＥＰＲＯＭ３１ａからの応答信号Ｅ１はＬレベルであることから、ＥＸ−ＯＲ回路３２の出力がＨレベルとなり、発報回路２２のトランジスタ２３をスイッチングし、抵抗Ｒで定まる応答電流Ｉｃを発報信号として感知器回線に流し、この発報信号を受信機１が受信して火災警報を出す。
【０１０５】
このような終端火災感知器５ａからの発報信号の送出中に受信機１からの確認信号に基づく電圧パルス信号が受信され、ＥＥＰＲＯＭ３１ａの読出動作によりデータビットＤ３１の読出ビット出力のタイミングで応答信号Ｅ１がＨレベルとなり、このためＥＸ−ＯＲ回路３２の出力はＬレベルとなり、トランジスタ２３を読出ビット出力の期間に亘りカットオフすることで応答電流Ｉｃが０となる。
【０１０６】
続いて他の分岐感知器回線の終端火災感知器５ｂ〜５ｄからの固有信号応答としての応答電流が出力され、これは終端火災感知器５ａからの火災による発報電流に加算する重畳電流として流れる。
【０１０７】
このため受信機１にあっては、発報電流が断たれたことで、火災を検出している終端火災感知器５ａからの確認信号に対する応答を認識し、これに続く発報電流の増加により、火災を検出していない他の終端火災感知器５ｂ〜５ｄからの確認信号に対する応答を認識することができる。
【０１０８】
一方、終端火災感知器５ａ以外の終端火災感知器５ｂ〜５ｄあるいはオンオフ型火災感知器２のいずれかで火災検出が行われた場合には、受信機１からの確認信号に基づくＥＥＰＲＯＭ３１ａの読出動作によるデータビットＤ３１の読出ビット出力のタイミングで固有信号を送出するための応答電流を火災発報の応答電流に重畳して流すことになる。
【０１０９】
図１１は本発明による火災報知システムの他の実施形態を示した説明図であり、この実施形態にあっては分岐感知器回線に接続する終端火災感知器以外の火災感知器も固有信号応答部付きの火災感知器としたことを特徴とする。
【０１１０】
図１１において、火災受信機１の構成は図７の実施形態と基本的に同じであり、ＭＰＵ６に設けている断線監視制御部１４が断線監視のための確認信号を感知器回線４を介してそれぞれの分岐感知器回線４ａ〜４ｄに送出している。
【０１１１】
受信機１から引き出された感知器回線４を分岐した区画Ａ〜Ｄに対する分岐感知器回線４ａ〜４ｄには固有信号応答部付きの火災感知器５ａ１〜５ａ４，５ｂ１〜５ｂ４，５ｃ１〜５ｃ４及び５ｄ１〜５ｄ４が接続されている。なお、この実施形態では、受信機１のＭＰＵ６に設けている受信制御部１３は、感知器回線４の火災発報を検出して火災警報を行うと同時に、感知器回線４の発報感知器を検索するため検索制御信号を出力する。
【０１１２】
図１２は図１１の分岐感知器回線４ａの終端に接続した火災感知器５ａ４の回路ブロック図であり、他の火災感知器も同じ回路構成を有する。
【０１１３】
図１２において、火災感知器５ａ４は、図８の終端火災感知器５ａと同様、基本的な火災検出の回路部として整流・ノイズ吸収回路２１、発報回路２２、電源回路２４、信号処理回路２５及び検出回路２６を備え、更に受信機１からの監視時における断線監視のための確認信号に対し固有信号を応答するための固有信号応答部２７を設けている。
【０１１４】
固有信号応答部２７には、クロック検出回路２８、データ検出回路２９、チップセレクト検出回路３０、不揮発性メモリとしてのＥＥＰＲＯＭ３１ａ４、ＥＸ−ＯＲ回路３２が設けられ、この点は図８の実施形態と同じであるが、更に発報検出回路４１を設けている。
【０１１５】
発報検出回路４１は、同じ感知器回線の他の火災感知器で火災検出による発報信号の送出が行われたときに感知器回線間の電圧から発報状態を検出し、信号処理回路２５による火災信号Ｅ２の出力の抑止、ＥＥＰＲＯＭ３１ａ４の読出動作の抑止を行う。
【０１１６】
これによって、同じ感知器回線に接続されている複数の火災感知器のうち、最初に火災を検出して発報した火災感知器のみが発報信号の出力動作と受信機１からの検索制御信号に対する火災応答を行い、２番目以降に火災を検出した火災感知器における発報信号の出力と検索制御信号に対する火災応答信号の送出を禁止させる。
【０１１７】
図１１の分岐感知器回線４ａ〜４ｄに接続している固有信号応答部付きの火災感知器５ａ１〜５ｄ４に設けられているＥＥＰＲＯＭに格納された番号データは、図１３に示すようになる。
【０１１８】
図１３は区画Ａと区画Ｂの分岐感知器回線４ａ，４ｂに接続している固有信号応答部付きの火災感知器５ａ１〜５ａ４，５ｂ１〜５ｂ４に設けているＥＥＰＲＯＭ３１ａ１〜３１ａ４，３１ｂ１〜３１ｂ４を取り出して示している。
【０１１９】
例えば区画ＡのＥＥＰＲＯＭ３１ａ１〜３１ａ４を例に取ると、それぞれのアドレス３８に固有の番号データを格納しており、この例ではＥＥＰＲＯＭ３１ａ１〜３１ａ４の順番に、斜線部で示すビット１の位置をデータビットＤ３１，Ｄ３０，Ｄ２９，Ｄ２８のようにずらして格納している。
【０１２０】
同様に区画ＢのＥＥＰＲＯＭ３１ｂ１〜３１ｂ４についても、同じアドレス３８におけるビット１で示す斜線部についても、データビットＤ２７，Ｄ２６，Ｄ２５，Ｄ２４のように順次ビット１の位置をずらして格納している。この点は残りの区画Ｃの ＥＥＰＲＯＭ３１ｂ１〜３１ｂ４（図示せず）及び区画ＤのＥＥＰＲＯＭ３１ｄ１〜３１ｄ４（図示せず）についても同様に、ビット１となるデータビットの位置をＤ２３〜Ｄ２０，Ｄ１９〜Ｄ１６となるようにずらして格納している。
【０１２１】
ここでＥＥＰＲＯＭにおける１アドレスの番号データは３２ビットであることから、受信機１からの感知器回線４に接続できる火災感知器の最大数は３２台となる。もちろん、３２台以上の火災感知器を必要とする場合には、ＥＥＰＲＯＭの番号データの格納アドレスを複数アドレス使用すればよい。この火災感知器それぞれに設定したビット１の位置は受信機１において記憶されており、断線や火災の判断、あるいは断線や火災個所の特定に使用される。
【０１２２】
図１４は受信機１からの確認信号に対する分岐感知器回線４ａの終端に接続している終端火災感知器５ａ４の応答動作のタイミングチャートである。
【０１２３】
図１４（Ａ）の受信機１からの確認信号に基づく感知器回線に対する電圧パルス信号は、監視時の電圧１８ボルトを規定電圧として２４ボルトとの間で変化する電圧パルス信号である。この電圧パルス信号は、データビット０，１に対応して図３（Ａ）に示したようにパルス幅変調された信号である。また感知器回線間の電圧パルス信号はクロック検出回路２８に入力されて図１４（Ｂ）のクロック信号が検出され、同時にチップセレクト検出回路３０により図１４（Ｃ）のチップセレクト検出信号が出力される。
【０１２４】
更にデータ検出回路２９は、図１４（Ｄ）のようなデータビットを検出する。図１１の分岐感知器回線４ａの終端火災感知器５ａ４にあっては、図１３の区画Ａの最後のＥＥＰＲＯＭ３１ａ４に示すように、アドレス３８のデータビットＤ２８にビット１を格納しているため、図１４（Ｄ）のデータビットＤ２８のタイミングでビット１が読み出され、このとき図１２の信号処理回路２５からの火災信号Ｅ２はＬレベルにあり、ＥＥＰＲＯＭ３１ａ４からの応答信号Ｅ１がＨレベルとなることでＥＸ−ＯＲ回路３２の出力がＨレベルとなり、発報回路２２のトランジスタ２３をスイッチングし、抵抗Ｒで定まる応答電流Ｉｃを感知器回線に流し、断線監視の確認信号に対する固有信号を受信機１に応答する。
【０１２５】
このような火災感知器５ａ４における確認信号に対する固有信号の応答動作は、他の火災感知器５ａ１〜５ａ３，５ｂ１〜５ｂ４，５ｃ１〜５ｃ４，５ｄ１〜５ｄ４でも同時に行われており、そのアドレス３８のビット１の格納位置は、図１３のようにデータビットＤ３０〜Ｄ１６まで順番にずらして格納していることから、それぞれにおけるビット１となる位置のビット出力に同期して順次、固有信号の応答が図１４（Ｅ）に示すように行われる。
【０１２６】
このため受信機１にあっては、確認信号に対する各火災感知器からの固有信号をチェックし、万一、固有信号の応答がない感知器があった場合には、その感知器回線に断線が発生したと判断し、障害警報を出すことになる。
【０１２７】
例えば図１１の分岐感知器回線４ａの分岐部分で断線が発生した場合には、それ以降の火災感知器５ａ１〜５ａ４の全てからの固有信号の応答がなくなり、これによって分岐感知器回線４ａが感知器回線４に対する分岐部分で断線していることを判断できる。また終端に接続している火災感知器５ａ４からのみ固有信号の応答がなかった場合には、火災感知器５ａ３と火災感知器５ａ４の間の分岐火災感知器４ａに断線が起きたことを判断できる。
【０１２８】
このように図１１の終端火災感知器以外の火災感知器も固有信号応答部付きの火災感知器とした場合には、分岐感知器回線４ａ〜４ｄごとに断線を識別できると同時に、断線を起した分岐感知器回線のどの位置で断線が起きているかも判断することができる。
【０１２９】
なお、終端でない火災感知器からの固有信号の応答が無く、それ以降の火災感知器からは応答信号があった場合には、その火災感知器の機能が故障していると判断する。例えば火災感知器５ａ１が故障しており、感知器回線が正常の場合には、受信機からの確認信号により、火災感知器５alは応答せず、火災感知器５ａ２以降の火災感知器は固有のビット位置で応答する。
【０１３０】
この場合は、感知器回線は正常であると判断し、火災感知器５ａ１が異常であると判断し、警報を発する。よって、この構成であれば、感知器回線の断線状況と、火災感知器の機能状況の試験を一度に行うことができる。
【０１３１】
次に、分岐感知器回線４ａの終端に接続している火災感知器５ａ４で火災が検出された場合には、図１２の信号処理回路２５からの火災信号Ｅ２がＨレベルとなり、このときＥＥＰＲＯＭ３１ａ４からの応答信号Ｅ１はＬレベルであることから、ＥＸ−ＯＲ回路３２の出力がＨレベルとなって発報回路２２のトランジスタ２３をスイッチングし、抵抗Ｒで定まる応答電流Ｉｃを図１４（Ｆ）に示すように発報信号として感知器回線に流す。
【０１３２】
このように火災感知器５ａ４で火災検出が行われると、他の火災感知器５ａ１〜５ａ３、５ｂ１〜５ｄ４にあっては、それぞれの発報検出回路４１が他の火災感知器による火災発報を検出して、信号処理回路２５及びＥＥＰＲＯＭ３１ａ４の動作を抑止し、同一感知器回線における２番目以降の火災検出による発報を禁止する。
【０１３３】
一方、受信機１のＭＰＵ６に設けている受信制御部１３は、感知器回線４の火災発報を検出して火災警報を行うと同時に、感知器回線４の発報感知器を検索するため検索制御信号を出力する。
【０１３４】
この検索制御信号は、図１４（Ｄ）の断線監視制御のための確認信号と同じデータ内容である。受信機１からの検索制御信号に対し、火災を検出している火災感知器５ａ４のみがＥＥＰＲＯＭ３１ａ４の読出動作を行い、アドレス３８のデータビットＤ２８のビット出力のタイミングで応答信号Ｅ１をＨレベルとし、このとき火災信号Ｅ２もＨレベルであることからＥＸ−ＯＲ回路３２の出力はＬレベルとなり、発報回路２２のトランジスタ２３により、１ビット出力の間、発報電流を停止させることで、図１４（Ｆ）のように検索制御応答を行う。これによって、受信機１側で火災感知器５ａ４で火災検出が行われたことを認識できる。
【０１３５】
この火災検出した火災感知器の動作は、終端でない火災感知器が最初に動作した場合も同様であり、固有のビットタイミングで発報電流を停止させることで、火災検出した火災感知器を特定できる。
【０１３６】
なお、受信機側で、火災感知器毎に設定された特定ビット位置情報、感知器設置場所情報及び種別情報などを予め記憶してあれば、感知器障害や火災検出時に、受信機の表示部で感知器情報を表示させると警備員のその後の対処が行いやすい。
【０１３７】
図１５は図１１の火災報知システムの区画Ａ〜Ｄに設置している火災感知器に設けたＥＥＰＲＯＭ３１ａ１〜３１ｄ４に対する番号データの格納の他の実施形態の説明図である。この図１５の実施形態にあっては、ＥＥＰＲＯＭ３１ａ１〜３１ｄ４のアドレス３８に断線監視制御用の確認信号に対する固有データを応答するための番号データを格納し、一方、アドレス３９に対しては火災発報時の検索制御信号に対し固有信号を応答するための番号データを格納したことを特徴とする。
【０１３８】
まずアドレス３８の断線監視制御用の番号データにあっては、区画Ａ〜Ｄのうちの分岐感知器回線の終端に接続している火災感知器５ａ４，５ｂ４，５ｃ４，５ｄ４に対応したＥＥＰＲＯＭ３１ａ４，３１ｂ４，３１ｃ４，３１ｄ４のアドレス３８に対してのみ、１ビットずつ位置をずらして、ビット１となる斜線部のデータをデータビットＤ３１，Ｄ３０，Ｄ２９，Ｄ２８のそれぞれに格納している。
【０１３９】
これに対し火災発報時の検索制御信号に対応したアドレス３９の番号データについては、図１３の場合と同様、ＥＥＰＲＯＭ３１ａ１から３１ｄ４の順番にデータビットＤ３１，Ｄ３０，…Ｄ１６の各位置にビット１をずらして格納している。このような断線監視制御の応答用の固有信号、及び火災発報時の検索制御応答用の固有信号につき、それぞれ異なるアドレスの番号データをＥＥＰＲＯＭに格納しておくことで、通常の監視時における確認信号に対する固有信号の応答を分岐感知器回線４ａ〜４ｄの終端に接続している火災感知器５ａ４，５ｂ４，５ｃ４，５ｄ４のみから行わせ、これによって分岐感知器回線４ａ〜４ｄごとの断線監視を可能とする。
【０１４０】
一方、火災発報時にあっては、発報した感知器を検索するため、アドレス３９を使用して、それぞれの火災感知器につき固有の番号データを格納し、火災を検出した火災感知器より受信機からの検索制御信号に対し固有信号を応答できるようにしている。
【０１４１】
図１６は図１５の番号データの２アドレスによる格納を行った場合について、図１５の区画Ａの終端のＥＥＰＲＯＭ３１ａ４の内容を持つ火災感知器５ａ４における受信機１からの確認信号に対する固有信号の応答動作のタイミングチャートである。
【０１４２】
図１６（Ａ）の電圧パルス信号、図１６（Ｂ）のクロック信号、図１６（Ｃ）のチップセレクト検出信号及び図１６（Ｄ）のデータは、図１４（Ａ）〜（Ｄ）と同じになる。
【０１４３】
ここで監視時の確認信号は、図１５のＥＥＰＲＯＭ３１ａ１〜３１ｄ４におけるアドレス３８を指定した読出動作となり、この読出動作に対しアドレス３８でビット１となるデータを格納しているのは分岐感知器回線４ａ〜４ｄの終端に接続した火災感知器５ａ４，５ｂ４，５ｃ４，５ｄ４のみである。
【０１４４】
したがって図１６（Ｅ）のようにアドレス３８のデータビットＤ３１の１ビット出力のタイミングに同期して火災感知器５ａ４が応答電流Ｉｃを流し、続いて終端に接続している火災感知器５ｂ４，５ｃ４，５ｄ４の順番にデータビットＤ３０，Ｄ２９，Ｄ２８のビット１の出力タイミングで応答電流Ｉｃを感知器回線に流す。
【０１４５】
一方、火災感知器５ａ４において火災検出が行われた場合には、他の火災感知器にあっては図１２の発報検出回路４１による発報検出で信号処理回路２５及びＥＥＰＲＯＭの動作が抑止されているため、受信機１からの検索制御信号によるアドレス３９を指定した読出動作に対し、火災を検出している火災感知器５ａ４のＥＥＰＲＯＭ３１ａ４のみの読出動作が行われ、ビット１が格納されたデータビットＤ２８のビット出力のタイミングで図１２におけるＥＥＰＲＯＭ３１ａ４からの応答信号Ｅ１がＨレベルとなり、このとき信号処理回路２５からの火災信号Ｅ２もＨレベルにあり、このためＥＸ−ＯＲ回路３２の出力はＬレベルとなって、発報回路２２のトランジスタ２３を１ビット出力の間、カットオフし、図１６（Ｆ）のように火災発報の応答電流Ｉｃが１ビット出力に亘り低下し、これによって受信機１は火災感知器５ａ４で火災検出が行われたことを判断できる。
【０１４６】
なお、上記図１１に接続された火災感知器は、図１２に示すような発報検出回路４１が設けてあるが、必ずしも必要ではなく、図８に示すような終端火災感知器の構成を全ての火災感知器に適用しても良い。この場合であっても通常監視時の断線監視を行うことができる。
【０１４７】
また上記の実施形態にあっては、例えば図１のように受信機１から感知器回線４を１回線引き出して分岐する場合を例にとっているが、受信機１から複数の感知器回線４を引き出すようにしてもよい。この場合には、感知器回線４ごとに監視回路部７を設け、感知器回線４ごとに確認信号を送出し、断線を判断する。
【０１４８】
この確認信号は全感知器回線に同時に送出しても良いし、順に送出しても良い。火災感知器が特定される特定ビット位置は同一回線内で重複しなければ良く、他の回線に同一のビット位置のものがあっても、正しく断線監視を行うことができる。
【０１４９】
また、ＥＥＰＲＯＭが出力する感知器固有のビットは１に限定されるものではなく、逆に特定ビット０で他ビットはすべて１に設定されてあってもよく、受信機において特定ビットを検出できるようになっていれば良い。
【０１５０】
また、感知器が終端用にも非終端用にも共用できるように、感知器内に固有信号応答部27の機能を有効もしくは無効に切り換える設定部を設けるようにしても良い。もしくは、終端でない感知器には、ＥＥＰＲＯＭには特定ビットのない、例えばすべて0と設定することで共用できるようにしても良い。
【０１５１】
更に、上記の実施形態においては、受信機から各火災感知器のＥＥＰＲＯＭのアドレス指定の呼び出しによる上り信号を受けることによって、断線を判断しているが、この通信方法に限らず、終端用の端末にはＣＰＵを備え、最終端末としての情報が格納されており、受信機からの最終端末に対する呼び出し伝送により、上り信号があるかどうかで感知器回線の断線を検出するようにしても良い。
【０１５２】
例えば最終端末専用のアドレスが端末に設定されており、受信機からは最終端末専用のアドレスを指定した端末呼び出しにより、返信信号がない場合に、感知器回線の断線を判断することもできる。
【図面の簡単な説明】
【０１５３】
【図１】感知器回線を分岐し、分岐感知器回線の各終端に終端器を接続した本発明の火災報知システムの説明図
【図２】図１の終端器のブロック図
【図３】図２のデータ検出回路によるデータ検出処理のタイムチャート
【図４】図１の終端器に設けたＥＥＰＲＯＭのデータ格納状態の説明図
【図５】図２の終端器におけるＥＥＰＲＯＭの読出しによる固有信号応答動作のタイミングチャート
【図６】ＥＥＰＲＯＭの読出クロックが不揃いとなる場合の図２のデータ検出回路による他のデータ検出処理のタイムチャート
【図７】感知器回線を分岐し、分岐感知器回線の各終端に固有信号応答部付きの火災感知器を接続した本発明の火災報知システムの説明図
【図８】図７の終端火災感知器のブロック図
【図９】図８のＥＸ−ＯＲによる固有信号応答と火災発報の論理表
【図１０】図８の火災感知器におけるＥＥＰＲＯＭの読出しによる固有信号応答動作のタイミングチャート
【図１１】感知器回線を分岐し、分岐感知器回線の火災感知器を全て固有信号応答部付きとした本発明の火災報知システムの説明図
【図１２】図１１の固有信号応答部付きの火災感知器のブロック図
【図１３】図１１の終端火災感知器に設けたＥＥＰＲＯＭのデータ格納状態の説明図
【図１４】図１２の終端器におけるＥＥＰＲＯＭの読出しによる固有信号応答動作のタイミングチャート
【図１５】図１１の終端火災感知器に設けたＥＥＰＲＯＭのデータ格納状態の他の実施形態の説明図
【図１６】図１５のデータ格納状態を持つＥＥＰＲＯＭの読出しによる固有信号応答動作のタイミングチャート
【図１７】従来のＰ型の火災報知システムの説明図
【符号の説明】
【０１５４】
１：受信機
２：オンオフ型火災感知器
３ａ〜３ｄ：終端器
４：感知器回線
４ａ〜４ｄ：分岐感知器回線
５ａ〜５ｄ：終端火災感知器
５ａ１〜５ｄ４：火災感知器（固有信号応答部付き）
６：ＭＰＵ
７：監視回路部
８：操作部
９：警報表示部
１０：地区表示部
１１：移報出力部
１２：メモリ
１３：受信制御部
１４：断線監視制御部
１５：電圧制御回路
１６：出力バッファ回路
１７：電流検出回路
２１：整流・ノイズ吸収回路
２２：発報回路
２３：トランジスタ
２４：電源回路
２５：信号処理回路
２６：検出回路
２７：固有信号応答部
２８：クロック検出回路
２９：データ検出回路
３０：チップセレクト検出回路
３１ａ〜３１ｄ：ＥＥＰＲＯＭ（不揮発性メモリ）
３２：ＥＸ−ＯＲ回路
４１：発報検出回路
【図１】
0004740547.tif 000002
【図２】
0004740547.tif 000003
【図３】
0004740547.tif 000004
【図４】
0004740547.tif 000005
【図５】
0004740547.tif 000006
【図６】
0004740547.tif 000007
【図７】
0004740547.tif 000008
【図８】
0004740547.tif 000009
【図９】
0004740547.tif 000010
【図１０】
0004740547.tif 000011
【図１１】
0004740547.tif 000012
【図１２】
0004740547.tif 000013
【図１３】
0004740547.tif 000014
【図１４】
0004740547.tif 000015
【図１５】
0004740547.tif 000016
【図１６】
0004740547.tif 000017
【図１７】
0004740547.tif 000018